(57)【要約】【課題】操作状況を撮影した操作画像を再生しながら不正操作かどうかを検査する場合に不正の可能性のある要注意操作に着目して検査できるようにする。【解決手段】検査対象として取得した操作動画とジャーナルデータとを同時進行で再生開始させる（ステップＣ４）。ジャーナルデータの内容を参照して操作の種類を検出し（ステップＣ６）、その検出操作が、所定の要注意操作（訂正操作、戻し操作、ドロア開放操作）であれば（ステップＣ７でＹＥＳ）、要注意操作の種類に応じたアイコンを生成して（ステップＣ８）、このアイコンを注意喚起データとして、操作動画の再生画面に重畳表示させる（ステップＣ９）。【選択図】  図９
2015144024.tif 000002
【特許請求の範囲】
【請求項１】
各種操作が行われた際の操作データがその操作が行われた際の操作状況を撮像した画像と対応づけて一連の動画像として記憶された記憶データを取得する取得手段と、
前記取得手段で取得された記憶データの動画像を順次再生表示する再生表示手段と、
前記再生手段で順次再生表示される動画像が特定操作種の操作が行われた時点の画像か否かを、その再生表示される画像に対応づけて記憶された操作データが前記特定操作種の操作データか否かに基づいて判別する判別手段と、
前記判別手段で前記操作データが前記特定操作種の操作データであると判別された際は、その時に再生表示される画像が、前記特定操作種の操作が行われた時点での画像であることを、その再生画像の画像内容を識別加工して再生表示することで識別して再生表示するよう制御する再生制御手段と、
を具備したことを特徴とするデータ処理装置。
【請求項２】
前記再生制御手段は、前記動画像再生に再生表示される画像が前記特定操作種の操作が行われた時点での画像である場合には、その画像を基準にして、その動画像再生の一時停止、あるいはスロー再生、あるいは逆送り再生、を制御する、
ことを特徴とする請求項１に記載のデータ処理装置。
【請求項３】
前記再生制御手段は、前記特定操作種の操作を聴覚的に知らせるアラーム音を発生させることで、前記再生画像が前記特定操作種の操作が行われた際の画像であることが分かるように識別して再生する、
ことを特徴とする請求項１又は２に記載のデータ処理装置。
【請求項４】
前記再生表示手段は、前記記憶データの動画像の画像を、その画像が撮像された際の操作状況の操作データと共に再生表示する、
ことを特徴とする請求項１〜３の何れかに記載のデータ処理装置。
【請求項５】
前記操作状況を撮像する撮像手段は、当該データ処理装置の近傍に配設され、当該データ処理装置を操作するユーザ及びその操作状況を撮影可能なようにその撮影方向及び画角が設定されている、
ことを特徴とする請求項１〜４の何れかに記載のデータ処理装置。
【請求項６】
前記取得手段は、当該データ処理装置において各種操作が行われた際に記憶媒体に記憶された前記記憶データを読み出して取得する、
ことを特徴とする請求項１〜５の何れかに記載のデータ処理装置。
【請求項７】
前記取得手段は、各種データ処理の行われる複数の処理装置の内で、処理対象として指定された処理装置との通信接続によって、前記記憶データを取得する、
ことを特徴とする請求項１〜５の何れかに記載のデータ処理装置。
【請求項８】
データ処理装置のコンピュータを制御するためのプログラムであって、
前記コンピュータを、
各種操作が行われた際の操作データがその操作が行われた際の操作状況を撮像した画像と対応づけて一連の動画像として記憶された記憶データを取得する取得手段、
前記取得手段で取得された記憶データの動画像を順次再生表示する再生表示手段、
前記再生手段で順次再生表示される動画像が特定操作種の操作が行われた時点の画像か否かを、その再生表示される画像に対応づけて記憶された操作データが前記特定操作種の操作データか否かに基づいて判別する判別手段、
前記判別手段で前記操作データが前記特定操作種の操作データであると判別された際は、その時に再生表示される画像が、前記特定操作種の操作が行われた時点での画像であることを、その再生画像の画像内容を識別加工して再生表示することで識別して再生表示するよう制御する再生制御手段、
として機能させるようにしたコンピュータ読み取り可能なプログラム。  
【発明の詳細な説明】
【技術分野】
【０００１】
本発明は、データ処理装置、及びプログラムに関する。
【背景技術】
【０００２】
一般に、スーパーマーケットやコンビニエンスストアなどの店舗においては、ＥＣＲ（Electronic Cash Register）、ＰＯＳ（Point of sale）端末などの売上データ処理装置により登録処理された売上データ（商品名、個数、金額）や釣銭などをジャーナルデータとして取引毎に記録するようにしているほか、その他の操作状況も記録するようにしている。そして、営業の終了時などにおいて責任者はジャーナルデータを参照することによりオペレータによる各種の操作状況を確認しながらそのオペレータの操作ミスや不正操作などを詳細に検査するようにしている。更に、不正を防止する技術として従来では、ドロアを開放させる操作が行われると、その操作者の顔を撮影すると共に、そのときのジャーナルデータと撮影データとをネットワークを介して外部装置側の顔画像データベースに転送して記録させなければ、ドロアが開かないように制御するようにした技術が開示されている（特許文献１参照）。
【先行技術文献】
【特許文献】
【０００３】
【特許文献１】特開２００９−２３０６８２号公報
【発明の概要】
【発明が解決しようとする課題】
【０００４】
しかしながら、上述した特許文献１の技術にあっては、ドロアを開放する条件として、オペレータの顔画像の撮影とその記録を必須条件とすることにより顔画像を証拠として残しておくようにしたものであるが、後で責任者が撮影画像から不正されているかどうかを検査しようとしても、誰がドロアを開放したのかを知ることができなかったり、ドロアを開放した状況やドロア開放以外の不正操作までも知ることがでなかったりするため、不正操作の検査手段としては不十分なものであった。
【０００５】
本発明の課題は、操作状況を撮像した画像を再生する際に、特定操作種の操作を撮像した画像を分かるようにすることにある。
【課題を解決するための手段】
【０００６】
請求項１は、各種操作が行われた際の操作データがその操作が行われた際の操作状況を撮像した画像と対応づけて一連の動画像として記憶された記憶データを取得する取得手段と、前記取得手段で取得された記憶データの動画像を順次再生表示する再生表示手段と、前記再生手段で順次再生表示される動画像が特定操作種の操作が行われた時点の画像か否かを、その再生表示される画像に対応づけて記憶された操作データが前記特定操作種の操作データか否かに基づいて判別する判別手段と、前記判別手段で前記操作データが前記特定操作種の操作データであると判別された際は、その時に再生表示される画像が、前記特定操作種の操作が行われた時点での画像であることを、その再生画像の画像内容を識別加工して再生表示することで識別して再生表示するよう制御する再生制御手段と、を具備したことを特徴とする。
【発明の効果】
【０００７】
本発明によれば、操作状況を撮像した画像を再生する際に、特定操作種の操作を撮像した画像を分かるようにすることが可能となる。
【図面の簡単な説明】
【０００８】
【図１】ＥＣＲの基本的な構成要素を示したブロック図。
【図２】ＥＣＲ（ＥＣＲ本体ユニット部１）をその前方斜め（顧客側）から見た状態の外観斜視図。
【図３】ＥＣＲ（ＥＣＲ本体ユニット部１）の一側面から見た状態の外観図。
【図４】操作側カメラ２６によって担当者（オペレータ）及びその操作状況を撮影した操作画像を例示した図。
【図５】カメラユニット部２側に備えられた各種のファイルを示した図。
【図６】操作検査機能における操作者用表示部１６あるいは外部モニタ４での表示例を示した図。
【図７】電源投入に応じて実行開始されるＥＣＲの全体動作の概要を示したフローチャート。
【図８】登録処理（図７のステップＡ５）を詳述するためのフローチャート。
【図９】操作検査処理（図７のステップＡ１３）を詳述するためのフローチャート。
【図１０】第２実施形態において、売上データ処理装置として適用したＥＣＲ１００と、このＥＣＲ１００に通信接続されていて売上データを管理する管理装置（サーバ装置）２００を備えた売上データ処理システムを示したブロック図。
【図１１】第２実施形態において、サーバ装置２００側の動作概要を示したフローチャート。
【発明を実施するための形態】
【０００９】
（第１実施形態）
先ず、図１〜図９を参照して本発明の第１実施形態を説明する。
図１は、売上データ処理装置として適用したＥＣＲ（Electronic Cash Register）の基本的な構成要素を示したブロック図である。
このＥＣＲ（売上データ処理装置）は、ＥＣＲ本体ユニット部１とカメラユニット部２とに分離された構成で、ＥＣＲ本体ユニット部１とカメラユニット部２とは、ケーブル３を介して着脱自在に接続されている。ＥＣＲ本体ユニット部１は、ＥＣＲとしての基本的な機能（標準機能）として、入力された一取引分の売上データを登録処理すると共に、一取引分の登録終了時に顧客から渡された金種に応じた種類の締め処理を行う売上データ登録機能などを備えている。また、本実施形態においては、更にＥＣＲ本体ユニット部１には各種のキー操作やドロアオープン／クローズなどに応じてイベントコードを発生させて、そのイベントコードをジャーナルデータとしてカメラユニット部２に対して転送する機能を有している。
【００１０】
カメラユニット部２は、登録待ち（精算待ち）をしている顧客を撮影したり、担当者（オペレータ）及びその操作状況を撮影したりするカメラ機能と、このカメラ機能により撮影された画像を再生しながら不正操作が行われたかどうかを検査する操作検査機能などの各種の機能をモジュール化した構成となっている。このカメラユニット部２は、ケーブル３を介してＥＣＲ本体ユニット部１に着脱自在に接続されており、故障などにより何時でも自由に交換可能となっている。なお、ＥＣＲ本体ユニット部１とカメラユニット部２とは、必要に応じて協動して各種の処理を行うようにしている。
【００１１】
ＥＣＲ本体ユニット部１は、ＣＰＵ１１を中核とするもので、各種プログラムにしたがってこのＥＣＲ本体ユニット部１の全体動作を制御する中央演算処理装置である。記憶部１２は、例えば、ＲＯＭ、ＲＡＭ、フラッシュメモリなどの記憶媒体やその駆動系を有し、後述する図７及び図８に示した動作手順に応じて本実施形態を実現するためのプログラムや各種のアプリケーションなどを記憶したり、データベース、文字フォントデータなどを記憶したりする。なお、上述の記憶媒体は固定的に設けた内蔵型の記憶媒体に限らず、着脱可能な可搬型の外部記憶媒体であってもよく、また、プログラム／データは、他の機器から有線伝送路あるいは無線伝送路を介して記憶媒体にインストールしたり、プログラム／データを記憶管理するサーバなどをアクセスして使用したりするようにしてもよい。メモリ１３は、計時データ、フラグなど、このＥＣＲ本体ユニット部１が動作するために必要な各種のデータを一時的に記憶するワーク領域である。
【００１２】
また、ＣＰＵ１１には、その入出力周辺デバイスである操作部１４、スキャナ１５、操作者用表示部１６、印字部１７、ドロア駆動部１８、ＣＯＭポート１９がバスラインを介して接続されており、入出力プログラムにしたがってＣＰＵ１１はそれらの動作を制御する。操作部１４は、押しボタン式の各種キーが配列されているキーボードを有し、このキーボード上にはテンキー（図示省略）などのほか、登録キー、小計キー、現金／預かり金キーなどが配設されていると共に、モードスイッチＭＳが配設されている。
【００１３】
モードスイッチＭＳは、その切り換え位置に応じて「登録（ＲＥＧ）」、「ＲＦ（戻し）」、「Ｚ（精算）」などの各種の動作モード（プログラム種）を切り換えるロータリー式のスイッチである。登録キーは、商品別登録を指示する商品キー、例えば、ＰＬＵ（プライス・ルック・アップ）キー、部門キーなどである。ＣＰＵ１１は、「登録（ＲＥＧ）」モードに切り換えられている状態において、各種のキー操作に応じてその操作に応じたイベントコードを生成すると共に、入力された売上データを表示させたり、売上合計を更新したりする登録処理を実行し、一取引の登録終了時に現金／預かり金キーが押下されると、ドロアを開放させたり、レシートを発行させたりする。
【００１４】
イメージスキャナ１５は、例えば、ＣＣＤやＣＭＯＳなどの画像センサ（イメージセンサ）を有し、商品登録のスキャニング動作時にその商品に添付されているバーコードや二次元コードを撮影することにより読み取るもので、ＣＰＵ１１は、イメージスキャナ１５により撮影された画像データを解析することによってバーコードなどをデコードして商品を特定するようにしている。操作者用表示部１６は、担当者（オペレータ）用として、金額や商品に関するデータ、メッセージなどを表示するもので、例えば、液晶ディスプレイ又は有機ＥＬ（Electro Luminescence）ディスプレイなどにより構成されている。印字部１７は、例えば、熱転写やインクジェットなどのノンインパクトプリンタあるいはドットインパクトプリンタであり、レシート印字を行う。ドロア駆動部１８は、キー操作に応じてドロア１８Ａの開閉を制御するもので、ＣＰＵ１１は、ドロア１８Ａの開閉に応じてドロアオープン／クローズイベントを生成する。ＣＯＭポート１９は、カメラユニット部２との接続用のシリアルポートである。
【００１５】
カメラユニット部２は、ＣＰＵ２１を中核とするもので、各種プログラムにしたがってこのカメラユニット部２の全体動作を制御する中央演算処理装置である。記憶部２２は、例えば、ＲＯＭ、ＲＡＭ、フラッシュメモリなどの記憶媒体やその駆動系を有し、後述する図９に示した動作手順に応じて本実施形態を実現するためのプログラムや各種のアプリケーションなどを記憶する。メモリ２３は、このカメラユニット部２が動作するために必要な各種のデータを一時的に記憶するワーク領域である。
【００１６】
また、ＣＰＵ２１には、その入出力周辺デバイスである客側表示部２４、客側カメラ２５、操作側カメラ２６、カードインターフェイス部２７、ＣＯＭポート２９がバスラインを介して接続されており、入出力プログラムにしたがってＣＰＵ２１はそれらの動作を制御する。客側表示部２４は、登録待ち（精算待ち）の顧客用としてその画面を顧客側に対面させたもので、例えば、７セグメントＬＥＤ（発光ダイオード）などにより構成され、商品単価、個数、小計金額、預かり金額などを数値表示する。
【００１７】
客側カメラ２５は、客用表示部２４に接近配設されたもので、登録待ちしている顧客の顔を中心として撮影し、また、操作側カメラ２６は、担当者（オペレータ）及びその操作状況を撮影するもので、担当者（オペレータ）及びその操作状況を撮影する監視カメラである。なお、客側カメラ２５、操作側カメラ２６の詳細は、図示省略したが、レンズ部、撮像素子、Ａ／Ｄ（アナログ／デジタル）変換部などを有し、動画像を撮影可能な構成で、レンズ部からの被写体像が撮像素子（ＣＣＤ又はＣＭＯＳ）に結像されることにより被写体を高精細に撮影可能な構成となっている。
【００１８】
カードインターフェイス部２７は、記録媒体としてのＳＤカード２８が挿入接続されるもので、このＳＤカード２８には、後述する各種のファイルが格納されている。なお、カメラユニット部２には、カードインターフェイス部２７に挿入接続されたＳＤカード２８の盗難などを防ぐために錠前（図省略）が配設されており、例えば、責任者が所持する専用鍵を使用して、錠前を開いてＳＤカード２８を取り出すようにしている。また、ＳＤカード２８に限らず、その他の外部記録媒体であってもよい。ＣＯＭポート２９は、ＥＣＲ本体ユニット部１との接続用のシリアルポートである。
【００１９】
図２は、上述のように構成されたＥＣＲ（ＥＣＲ本体ユニット部１）をその前方斜め（顧客側）から見た状態の外観斜視図であり、図３は、ＥＣＲ（ＥＣＲ本体ユニット部１）の一側面から見た状態の外観図である。
ＥＣＲ本体ユニット部１の上面部には、操作者用表示部１６が配設されていると共に、操作部１４を構成するキーボード及びモードスイッチＭＳが配設されている。また、ＥＣＲ本体ユニット部１の上面部には、印字部１７から送出されるレシートを取り出すためのレシート発行口（図示省略）が配設されている。
【００２０】
カメラユニット部２は、客用表示部２４の筐体２Ａと、その筐体２Ａを支持するポール状の支持部材（支持ポール）２Ｂとを有している。支持ポール２Ｂは、客用表示部２４の筐体２Ａを支持するもので、その下端部はＥＣＲ本体ユニット部１の背面側の垂直に固定されている。また、支持ポール２Ｂの上端部は客用表示部２４の筐体２Ａが装着され、その長さを調整可能な構造となっていると共に、客用表示部２４の筐体２Ａは、支持ポール２Ｂに対して回転可能となっている。つまり、筐体２Ａの高さとその向きを調整可能となっており、それに応じて客用表示部２４、客側カメラ２５の高さとその向きも調整可能となっている。
【００２１】
客側カメラ２５は、図２及び図３に示すように筐体２Ａの前面において客用表示部２４の一端部（図中、左側端部）に接近配設され、その撮影方向は、登録待ちしている顧客方向で、その画角は、登録待ち行列の顧客を撮影可能な範囲となっている。操作側カメラ２６は、支持ポール２Ｂの上端部に配設され、その撮影方向は、オペレータ方向で、その画角は、操作部１４の全体及び操作中のオペレータの顔を撮影可能な範囲となっている。つまり、オペレータ及びその操作状況を撮影可能となるように操作側カメラ２６の撮影方向及び画角が設定されている。図４は、操作側カメラ２６によって担当者（オペレータ）及びその操作状況を撮影した操作画像（動画）を例示したもので、ドロア１８Ａを開放した状態でオペレータが貨幣を出し入れしている場合を示している。なお、上述した操作検査機能において、操作側カメラ２６によって撮影された操作画像（動画）を再生する場合に、操作者用表示部１６を使用して行うようにしているが、図２に示した外部モニタ（外部機器としての表示装置）４をＥＣＲにケーブル接続させて、この外部モニタ４に操作画像（動画）を再生するようにしてもよい。
【００２２】
図５は、カメラユニット部２側（ＳＤカード２８）に記憶されている各種のファイルを示した図である。
カメラユニット部２側のＳＤカード２８には、客側動画ファイルＹ１、操作側動画ファイルＹ２、電子ジャーナルファイルＹ３などが記憶管理されている。客側動画ファイルＹ１は、客側カメラ２５により撮影された動画ファイルであり、動画ファイルに対応してそのファイル名など共に録画日時（タイムスタンプ）が逐次記憶されている。操作側動画ファイルＹ２は、操作側カメラ２６により撮影された動画ファイルであり、動画ファイルに対応してそのファイル名など共にタイムスタンプ（動画シーンの録画日時）が逐次記憶されている。
【００２３】
電子ジャーナルファイルＹ３は、操作毎にその操作データをジャーナルデータとして逐次記憶管理するファイルで、登録毎にレシートに逐次印字される印字データ（操作データ）、つまり、登録された売上データとその操作内容（例えば、操作キーの種類：キーコード：イベントコード）を営業記録データ（ジャーナルデータ）として記憶管理するファイルである。この電子ジャーナルファイルＹ３の内容と操作側動画ファイルＹ２の内容とをリンク（同期）させるために、電子ジャーナルファイルＹ３にもタイムスタンプ（操作データの記録日時）が逐次記憶されている。なお、上述のタイムスタンプ（動画シーンの録画日時、操作データの記録日時）は、操作側動画ファイルＹ２の内容と電子ジャーナルファイルＹ３の内容とを同期して表示（同時進行で出現）させるためのデータであるが、タイムスタンプに代わって、チャプタ番号（例えば、一連番号など）を操作側動画ファイルＹ２、電子ジャーナルファイルＹ３に挿入記憶させるようにしてもよい。
【００２４】
図６は、操作検査機能において操作者用表示部１６あるいは外部モニタ４での表示例を示した図である。
この操作検査機能の実行時にＥＣＲ本体ユニット部１とカメラユニット部２とは、必要に応じて協動して処理を行う。カメラユニット部２は、責任者などにより操作検査機能の起動が指示されると、操作側動画ファイルＹ２に録画されている操作画像（操作動画）を逐次読み出して表示画面に表示させる再生動作を開始すると共に、この操作動画の再生に連動して電子ジャーナルファイルＹ３の内容を当該画面内に同時進行で逐次表示させるようにしている。図中、左側の画面は、操作動画の再生画面ＯＰを示し、右側の画面は、ジャーナルデータの再生画面ＪＲを示し、この操作動画の再生画面ＯＰとジャーナルデータの再生画面ＪＲとを同時進行で再生表示（同期して再生表示）させるようにしている。すなわち、同一内容の操作動画とジャーナルデータとを同期して表示（同時進行で出現）させるために操作動画の逐次再生に連動してジャーナルデータを逐次スクロール表示させるようにしている。
【００２５】
そして、カメラユニット部２は、操作検査機能の実行時に電子ジャーナルファイルＹ３の内容を逐次参照しながら所定の要注意操作が含まれているか否かを判別するようにしている。ここで、所定の要注意操作とは、入力データの訂正を指示する訂正操作、一取引の終了を指示する締め操作（ドロア１８Ａの開放を指示する現金／預かり金キーの操作：ドロア開放操作）、入金する際の入金操作（ドロア開放操作）、返品処理を指示する戻し操作のいずれかであり、オペレータによる不正が行われる可能性のある操作を要注意操作としている。カメラユニット部２は、この要注意操作が行われた際の操作タイミング（タイムスタンプ）を検出し、この検出した操作タイミングで所定の注意喚起データを再生画像に対応付けて表示（例えば、スーパーインポーズ表示：重畳表示）させるようにしている。
【００２６】
すなわち、例えば、要注意操作の一つとして、ドロア１８Ａの開放を指示する操作を検出すると、ドロア１８Ａを開放させている状態での撮影画像が再生されるタイミングで、所定の注意喚起データ（アイコン）をその操作動画に対応付けてスーパーインポーズ表示させるようにしている。この注意喚起データ（アイコン）は、要注意操作の種類（訂正操作、戻し操作、ドロア開放操作）に応じて異なる内容（要注意操作の種類を容易に連想することが可能な内容）となっている。また、注意喚起データ（アイコン）の表示と共に、検出した操作タイミングでアラーム音をスピーカ（図示省略）から発生させるようにしている。なお、このアラーム音は、実際の操作時に録音されたものであってもよい。すなわち、上述の要注意操作が行われた際にアラーム音を発生させると共に、そのアラーム音を操作側動画ファイルＹ２に対応付けて録音しておけば、操作動画の再生時にそのアラーム音を再生することができる。
【００２７】
次に、第１実施形態におけるＥＣＲの動作概念を図７〜図９に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２８】
図７は、電源投入に応じて実行開始されるＥＣＲの全体動作の概要を示したフローチャートである。
先ず、ＥＣＲ本体ユニット部１のＣＰＵ１１は、電源投入に応じて各種のメモリなどをクリアする初期化処理を実行する（ステップＡ１）。そして、動画ファイル名（例えば、日付に一連番号を付加したデータ）を生成して操作側動画ファイルＹ２に設定すると共に（ステップＡ２）、操作側カメラ２６を起動させてその録画を開始させる（ステップＡ３）。この状態において、モードスイッチＭＳが「登録（ＲＥＧ）」モードに切り換えられているかを調べたり（ステップＡ４）、「戻し（ＲＦ）」モードに切り換えられているかを調べたり（ステップＡ６）、「Ｚ（精算）」モードに切り換えられているかを調べたり（ステップＡ９）、電源オフ操作が行われたかを調べたりする（ステップＡ１４）。いま、登録モードに切り換えられている状態において（ステップＡ４でＹＥＳ）、登録操作が行われる毎に売上データを登録する登録処理に移る（ステップＡ５）。
【００２９】
図８は、登録処理（図７のステップＡ５）を詳述するためのフローチャートである。なお、ＥＣＲ本体ユニット部１は、必要に応じてカメラユニット部２と協動して各種の処理を行うようにしている。
先ず、ＥＣＲ本体ユニット部１のＣＰＵ１１は、登録操作が行われたか、つまり、商品からバーコードなどを読み取るためにスキャナ１５によるスキャニング動作が行われたか、金額データの値数入力後に商品キーなどの登録キーが操作されたかを調べたり（図８のステップＢ１）、訂正キーが操作されたかを調べたり（ステップＢ５）、一取引分の登録終了時に現金／預かり金キーなどの締めキーが操作されたかを調べたり（ステップＢ７）、その他のキーが操作されたかを調べたりする（ステップＢ１１）。
【００３０】
いま、登録操作が行われたときには（ステップＢ１でＹＥＳ）、商品登録処理に移り（ステップＢ２）、入力された商品名及び単位を操作者用表示部１６及び客用表示部２４に表示させたり、入力された売上データに基づいて、図示しない商品別合計ファイル、部門別合計ファイルの内容（売上データ）を更新したりする処理を行う。この場合、ＥＣＲ本体ユニット部１から表示データをカメラユニット部２側に転送することにより客用表示部２４に商品名及び単位を表示させる。そして、一取引分の小計金額を更新した後（ステップＢ３）、今回取引での操作データをジャーナルデータとして電子ジャーナルファイルＹ３に記憶させる（ステップＢ４）。そして、上述のステップＢ１に戻り、以下、登録操作が行われる毎に、上述の動作を繰り返す。
【００３１】
また、入力データを訂正するために訂正キーが操作されたときには（ステップＢ５でＹＥＳ）、前回の入力データを訂正する訂正処理を行う（ステップＢ６）。そして、訂正データをジャーナルデータとして電子ジャーナルファイルＹ３に記憶させた後（ステップＢ４）、上述のステップＢ１に戻る。また、その他の操作が行われたときには、例えば、小計キーが操作されたときには（ステップＢ１１でＹＥＳ）、その操作に応じた処理として、小計金額を操作者用表示部１６及び客用表示部２４に表示させる処理を行う（ステップＢ１２）。そして、その操作に応じたデータをジャーナルデータとして電子ジャーナルファイルＹ３に記憶させた後（ステップＢ４）、上述のステップＢ１に戻る。
【００３２】
また、一取引分の登録終了時に現金／預かり金キーなどの締めキーが操作されたときには（ステップＢ７でＹＥＳ）、顧客から渡された金種に応じて取引別合計を更新する処理を行うと共に、操作された締めキーが現金／預かり金キーであれば、ドロアを開放させる締め処理を行うと共に（ステップＢ８）、印字部１７を駆動させて売上データを順次レシートに印字させて、レシートを発行させる（ステップＢ９）。そして、その操作データをジャーナルデータとして一時保持した後（ステップＢ１０）、図８のフローから抜ける。
【００３３】
このようにして一取引分の登録処理（図７のステップＡ５）が終ると、上述のステップＡ４に戻る。一方、モードスイッチＭＳが「戻し（ＲＦ）」モードに切り換えられている状態において（ステップＡ６でＹＥＳ）、戻し操作が行われると、この戻し操作に応じて戻し処理（返品処理）を実行する（ステップＡ７）。そして、操作データをジャーナルデータとして一時保持した後（ステップＡ８）、上述のステップＡ４に戻る。また、例えば、一日の営業が終わり、モードスイッチＭＳが「Ｚ（精算）」モードに切り換えられた場合には（ステップＡ９でＹＥＳ）、図示しない取引別合計ファイルなどの内容を更新する精算処理を実行した後（ステップＡ１０）、その操作データをジャーナルデータとして一時保持する（ステップＡ１１）。
【００３４】
そして、操作検査を指示する操作が行われたかを調べ（ステップＡ１２）、その指示操作が行われなければ（ステップＡ１２でＮＯ）、上述のステップＡ４に戻るが、その指示操作が行われたときには（ステップＡ１２でＹＥＳ）、後述する操作検査処理を実行した後（ステップＡ１３）、上述のステップＡ４に戻る。なお、電源オフ操作が行われたときには（ステップＡ１４でＹＥＳ）、所定の電源オフ処理を実行して（ステップＡ１５）、操作カメラ２６を停止させた後（ステップＡ１６）、図７のフローの終了となる。
【００３５】
図９は、操作検査処理（図７のステップＡ１３）を詳述するためのフローチャートである。なお、ＥＣＲ本体ユニット部１は、必要に応じてカメラユニット部２と協動して各種の処理を行うようにしている。
先ず、ＥＣＲ本体ユニット部１のＣＰＵ１１は、検査対象ファイル名を指定する操作が行われると、この指定ファイル名をカメラユニット部２に転送する（図９のステップＣ１）。カメラユニット部２側では、指定された検査対象の操作動画を操作側動画ファイルＹ２から取得すると共に（ステップＣ２）、検査対象のジャーナルデータを電子ジャーナルファイルＹ３から取得する（ステップＣ３）。なお、操作側動画ファイルＹ２の内容と電子ジャーナルファイルＹ３の内容とは、上述したようにタイムスタンプによりリンクされている。
【００３６】
そして、検査対象として取得した操作動画とジャーナルデータとの再生を同時進行で開始させると共に（ステップＣ４）、操作者用表示部１６あるいは外部モニタ４の表示画面に操作動画とジャーナルデータとを並列表示させる（ステップＣ５）。これによって図６に示すように、再生画面ＯＰには動画ファイル（操作動画）が表示され、再生画面ＪＲにはジャーナルデータが表示される。そして、カメラユニット部２側では、操作動画とジャーナルデータの再生動作中において、ジャーナルデータの内容を参照して操作の種類を検出し（ステップＣ６）、検出した操作は、所定の要注意操作（訂正操作、戻し操作、ドロア開放操作）であるかを判別する（ステップＣ７）。その結果、要注意操作でなければ（ステップＣ７でＮＯ）、上述のステップＣ６に戻り、要注意操作を検出するまで上述の動作を繰り返す。
【００３７】
ここで、要注意操作として訂正操作、戻し操作、ドロア開放操作のいずれかを検出した場合には（ステップＣ７でＹＥＳ）、要注意操作の種類に応じたアイコンを生成して（ステップＣ８）、このアイコンを注意喚起データとして、動画の再生画面ＯＰに重畳表示させる（ステップＣ９）。例えば、要注意操作がドロア開放操作であれば、図６に示すようにドロアが開放されている状態のイメージ図形と“オープン”という文字列から成るアイコンＩＣが重畳表示される。このようにしてアイコンを重畳表示させるほか、アラーム音を発生させる（ステップＣ１０）。この場合、アイコン表示とアラーム音の発生は、一定時間（例えば、１〜２秒間）継続させるようにしている。
【００３８】
次に、再生の一時停止を指示する操作が行われたかを調べたり（ステップＣ１１）、早送り／スロー再生／逆送り再生を指示する操作が行われたかを調べたり（ステップＣ１３）、その他の再生制御操作が行われたかを調べたり（ステップＣ１５）、再生終了を検出したかを調べたりする（ステップＣ１７）。いま、再生の一時停止が指示されたときには（ステップＣ１１でＹＥＳ）、操作動画とジャーナルデータの再生動作を一時停止させる（ステップＣ１２）。また、早送り再生／スロー再生／逆送り再生を指示する操作が行われたときには（ステップＣ１３でＹＥＳ）、早送り再生処理／スロー再生処理／逆送り再生処理を実行する（ステップＣ１４）。
【００３９】
また、一時停止の解除や早送り再生／スロー再生／逆送り再生の解除など、その他の再生制御操作が行われたときには（ステップＣ１５でＹＥＳ）、操作に応じた再生制御処理として、一時停止の解除や早送り再生／スロー再生／逆送り再生の解除などの処理を実行する（ステップＣ１６）。以下、再生終了を検出するまで、つまり、再生終了を指示する操作が行われたり、検査対象の操作動画をその末尾まで全て再生し終ったりするまで（ステップＣ１７でＮＯ）、上述のステップＣ６に戻り、以下、上述の動作を繰り返す。
【００４０】
以上のように、第１実施形態においては、操作側動画ファイルＹ２内の操作動画を再生する再生動作に連動して電子ジャーナルファイルＹ３の内容を逐次参照することにより所定の要注意操作が行われた際の操作タイミングを検出し、その操作タイミングで所定の注意喚起データを操作動画に対応付けて表示するようにしたので、不正操作かどうかを検査する場合に不正の可能性のある要注意操作に着目して効率良く検査することができ、確実な検査が可能となるほか、検査者の負担を軽減することも可能となる。
【００４１】
要注意操作は、入力データの訂正を指示する訂正操作、ドロアの開放を指示するドロア開放操作、返品処理を指示する戻し操作であるので、不正の可能性のある操作をドロアの開放に限らず、訂正、戻しまで広げることができる。
【００４２】
要注意操作の種類に応じたアイコンを操作動画に対応付けて表示するようにしたので、視認性が良く一目で分かり易い表示が可能となり、検査作業の効率が良くなる。
【００４３】
操作動画を逐次読み出して再生表示する再生動作に連動してジャーナルデータの内容を画面内に同時進行で逐次表示するようにしたので、画像とジャーナルデータとを対応付けて確認することができ、不正操作の発見も容易となる。
【００４４】
要注意操作の操作タイミングでアラーム音を発生するようにしたので、表示と音の両方で検査者の注意を喚起させることができる。
【００４５】
操作側カメラ２６は、客側表示部２４の近傍に配設し、オペレータ及びその操作状況を撮影可能となるようにその撮影方向及び画角が設定されているので、オペレータの正面から撮影することができると共に、操作部１４の上方から操作状況を撮影することができる。
【００４６】
（第２実施形態）
以下、この発明の第２実施形態について図１０及び図１１を参照して説明する。
なお、上述した第１実施形態においては、ＥＣＲ単体に適用した場合を示したが、この第２実施形態においては、このＥＣＲと管理装置（サーバ装置）とを通信接続した売上データ処理システムに適用した場合である。ここで、両実施形態において基本的あるいは名称的に同一のものは、同一符号を付して示し、その説明を省略すると共に、以下、第２実施形態の特徴部分を中心に説明するものとする。
【００４７】
図１０は、売上データ処理システムを示したブロック図である。
売上データ処理システムは、店舗内に設置されている複数台のＥＣＲ１００が管理装置（サーバ装置）２００にＬＡＮ（構内専用回線）３００を介して接続されたＬＡＮシステムで、系列店舗Ａの売上データ処理システムは、インターネット４００を介して他の系列店舗Ｂの売上データ処理システムなどに接続されて通信可能となっている。なお、ＥＣＲ１００の構成は、図１で示した構成と基本的に同様であるが、第２実施形態においては、更に、管理装置（サーバ装置）２００との間でデータの送受信を行うＬＡＮ通信部１０１を有している。また、管理装置（サーバ装置）２００は、パーソナルコンピュータ（ＰＣ）であり、その構成は、図示省略したが、ＣＰＵ、記憶部、表示部、操作部のほか、ＥＣＲ１００との間でデータの送受信を行うＬＡＮ通信部２０１を有している。
【００４８】
図１１は、管理装置（サーバ装置）２００側の動作概要を示したフローチャートである。
先ず、サーバ装置２００は、ＬＡＮ接続されている複数台のＥＣＲ１００のいずれかを処理対象として指定した後（ステップＤ１）、指定したＥＣＲ１００に対して操作動画、ジャーナルデータの送信を要求する（ステップＤ２）。ここで、ＥＣＲ１００側では図７及び図８で示した動作と基本的には同様の動作を実行するが、相違する点は、図７のステップＡ１２及びステップＡ１３に代えて、サーバ装置２００からのデータ送信の要求を受けた際に、それに応答して操作動画及びジャーナルデータをサーバ装置２００に送信する処理を行うようにしている点である。すなわち、第２実施形態では、操作検査処理は行わず、その処理をサーバ装置２００側に委ねるようにしている。なお、サーバ装置２００からの要求に応じた送信処理は、精算モードに限らず、その他のモードでも実行可能としてもよい。また、サーバ装置２００側では、検査対象を指定してデータ送信を要求するようにしてもよいが、一日の営業終了時に本日分の操作動画及びジャーナルデータの送信を要求するようにしてもよい。
【００４９】
サーバ装置２００は、指定したＥＣＲ１００側から操作動画及びジャーナルデータを受信すると（ステップＤ３）、その操作動画及びジャーナルデータに基づいて操作検査処理を開始する（ステップＤ４）。ここで、サーバ装置２００は、図９で示した操作検査処理と基本的には同様の処理を行う。すなわち、操作動画及びジャーナルデータを同時進行で再生する再生動作を開始した後、ジャーナルデータを参照して要注意操作を検出する毎にその検出タイミングで要注意操作の種類に応じたアイコンをその操作動画に重畳表示させると共にアラーム音を発生させる動作を行う。このようにして１台分のＥＣＲ１００に対する検査処理が終ると（ステップＤ４）、全てのＥＣＲ１００を指定し終わったかを調べ（ステップＤ５）、未指定のＥＣＲ１００が残っていれば（ステップＤ５でＮＯ）、上述のステップＤ１に戻って、以下、上述の動作を繰り返す。
【００５０】
以上のように、第２実施形態においてサーバ装置２００は、ＥＣＲ１００に対して操作動画、ジャーナルデータの送信を要求し、それに応答してＥＣＲ１００側から送信された操作動画、ジャーナルデータに基づいて操作検査処理を実行するようにしたので、上述した第１実施形態と同様に、不正操作かどうかを検査する場合に不正の可能性のある要注意操作に着目して効率良く検査することができ、確実な検査が可能となるほか、検査者の負担を軽減することも可能となる。
【００５１】
その他、第２実施形態においても上述した第１実施形態と同様の効果を有する。すなわち、第２実施形態においても要注意操作は、入力データの訂正を指示する訂正操作、ドロアの開放を指示するドロア開放操作、返品処理を指示する戻し操作であるので、不正の可能性のある操作をドロアの開放に限らず、訂正、戻しまで広げることができる。また、要注意操作の種類に応じたアイコンを操作動画に対応付けて表示するようにしたので、視認性が良く一目で分かり易い表示が可能となり、検査作業が効率良くなる。また、操作動画を逐次読み出して再生表示する再生動作に連動してジャーナルデータの内容を画面内に同時進行で逐次表示するようにしたので、操作動画とジャーナルデータとを対応付けて確認することができ、不正操作の発見も容易となる。また、要注意操作の操作タイミングでアラーム音を発生するようにしたので、表示と音の両方で検査者の注意を喚起させることができる。
【００５２】
なお、上述した第２実施形態においては、ＥＣＲ１００とサーバ装置２００とをＬＡＮ（構内専用回線）３００を介して接続したＬＡＮシステムに適用するようにしたが、カードインターフェイス部２７に挿入接続されているＳＤカード２８内に操作側動画ファイルＹ２、電子ジャーナルファイルＹ３を所定の形式に圧縮して記憶させておき、このＳＤカード２８をＰＣ（管理装置）に挿入接続するようにしてもよい。すなわち、ＳＤカード２８などの可搬型外部記憶媒体を介してＰＣ（管理装置）側に操作側動画ファイルＹ２、電子ジャーナルファイルＹ３を供給するようにしてもよい。例えば、一日の営業の終了時にＰＣ側にＳＤカード２８を介して操作側動画ファイルＹ２、電子ジャーナルファイルＹ３を一括して供給するようにすればよい。この場合、ＰＣ側ではＳＤカード２８内の操作側動画ファイルＹ２、電子ジャーナルファイルＹ３に基づいて操作検査処理を実行するようにしてもよい。
【００５３】
また、上述した各実施形態においては、所定の注意喚起データとして要注意操作の種類に応じたアイコンを表示するようにしたが、簡易メッセージを表示するようにしてもよい。また、上述したように、要注意操作が行われた際に発生されたアラーム音を、操作側動画ファイルＹ２に対応付けて録音しておき、画像再生時にそのアラーム音を再生するようにしてもよい。
【００５４】
また、上述した各実施形態においては、操作動画とジャーナルデータとを並列表示させるようにしたが、操作動画の上にジャーナルデータを重畳表示させるようにしてもよい。
【００５５】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５６】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
売上データを取引毎に登録処理する売上データ処理装置であって、
操作の状況を逐次撮影する撮像手段と、
前記撮像手段により撮影された操作画像を逐次録画する録画手段と、
操作毎にその操作データをジャーナルデータとして逐次記憶管理するジャーナル記憶手段と、
前記録画手段により録画されている操作画像を逐次読み出して再生表示する録画再生手段と、
前記録画再生手段による再生動作に連動して前記ジャーナル記憶手段の内容を逐次参照することにより所定の要注意操作が行われた際の操作タイミングを検出する検出手段と、
前記検出手段により検出された操作タイミングで所定の注意喚起データを前記操作画像に対応付けて表示する表示制御手段と、
を具備したことを特徴とする売上データ処理装置である。
（請求項２）
請求項２に記載の発明は、請求項１に記載の売上データ処理装置において、
前記要注意操作は、入力データの訂正を指示する訂正操作、ドロアの開放を指示するドロア開放操作、返品処理を指示する戻し操作のうち、少なくともそのいずれかの操作である、
ことを特徴とする売上データ処理装置である。
（請求項３）
請求項３に記載の発明は、請求項１あるいは請求項２に記載の売上データ処理装置において、
前記検出手段は、前記要注意操作が行われた操作タイミングを検出すると共にその要注意操作の種類を検出し、
前記表示制御手段は、所定の注意喚起データとして、前記検出手段により検出された要注意操作の種類に応じたアイコンを前記操作画像に対応付けて表示する、
ようにしたことを特徴とする売上データ処理装置である。
（請求項４）
請求項４に記載の発明は、請求項１〜請求項３のいずれかに記載の売上データ処理装置において、
前記録画手段により録画されている操作画像を逐次読み出し表示画面に表示させる再生動作に連動して前記ジャーナル記憶手段の内容を当該表示画面内に同時進行で逐次表示させるジャーナル表示制御手段を更に備える、
ようにしたことを特徴とする売上データ処理装置である。
（請求項５）
請求項５に記載の発明は、請求項１〜請求項３のいずれかに記載の売上データ処理装置において、
前記録画手段により録画されている操作画像を逐次読み出し表示画面に表示させる再生動作に連動して前記ジャーナル記憶手段の内容を当該表示画面内に同時進行で逐次表示させるジャーナル表示制御手段を更に備える、
ようにしたことを特徴とする売上データ処理装置である。
（請求項６）
請求項６に記載の発明は、請求項１〜請求項５のいずれかに記載の売上データ処理装置において、
前記撮像手段は、客用表示部の近傍に配設し、オペレータ及びその操作状況を撮影可能となるようにその撮影方向及び画角が設定されている、
ようにしたことを特徴とする売上データ処理装置である。
（請求項７）
請求項７に記載の発明は、
売上データを取引毎に登録処理する売上データ処理装置と、売上データを管理する管理装置を備えた売上データ処理システムであって、
前記売上データ処理装置は、
操作の状況を逐次撮影する撮像手段と、
前記撮像手段により撮影された操作画像を逐次録画する録画手段と、
操作毎にその操作データをジャーナルデータとして逐次記憶するジャーナル記憶手段と、
を備え、
前記管理装置は、
前記録画手段により録画されている操作画像を逐次読み出して再生表示する録画再生手段と、
前記録画再生手段による再生動作に連動して前記ジャーナル記憶手段の内容を逐次参照することにより所定の要注意操作が行われた際の操作タイミングを検出する検出手段と、
前記検出手段により検出された操作タイミングで所定の注意喚起データを前記操作画像に対応付けて表示する表示制御手段と、
を備える、
ようにしたことを特徴とする売上データ処理システムである。
（請求項８）
請求項８に記載の発明は、請求項７に記載の売上データ処理システムにおいて、
前記要注意操作は、入力データの訂正を指示する訂正操作、一取引の終了を指示する締め操作、返品処理を指示する戻し操作のうち、少なくともそのいずれかの操作である、
ことを特徴とする売上データ処理システムである。
（請求項９）
請求項９に記載の発明は、請求項７あるいは請求項８に記載の売上データ処理システムであって、
前記検出手段は、前記要注意操作が行われた操作タイミングを検出すると共にその要注意操作の種類を検出し、
前記表示制御手段は、所定の注意喚起データとして、前記検出手段により検出された要注意操作の種類に応じたアイコンを前記操作画像に対応付けて表示する、
ようにしたことを特徴とする売上データ処理システムである。
（請求項１０）
請求項１０に記載の発明は、請求項７〜請求項９のいずれかに記載の売上データ処理システムであって、
前記管理装置は、前記録画手段により録画されている操作画像を逐次読み出し再生画面に表示させる再生動作に連動して前記ジャーナル記憶手段の内容を当該再生画面内に同時進行で逐次表示するジャーナル表示制御手段を更に備える、
ようにしたことを特徴とする売上データ処理システムである。
（請求項１１）
請求項１１に記載の発明は、請求項７〜請求項１０のいずれかに記載の売上データ処理システムであって、
前記管理装置は、前記検出された操作タイミングで所定のアラーム音を前記操作画像に対応付けて発生出力するアラーム音発生手段を更に備える、
ようにしたことを特徴とする売上データ処理システムである。
（請求項１２）
請求項１２に記載の発明は、
コンピュータに対して、
売上データを取引毎に登録処理する機能と、
操作の状況を逐次撮影する機能と、
前記撮影された操作画像を逐次録画する機能と、
操作毎にその操作データをジャーナルデータとして逐次記憶管理する機能と、
前記録画されている操作画像を逐次読み出して再生表示する機能と、
前記録画の再生動作に連動して前記ジャーナルデータの内容を逐次参照することにより所定の要注意操作が行われた際の操作タイミングを検出する機能と、
前記検出された操作タイミングで所定の注意喚起データを前記操作画像に対応付けて表示する機能と、
を実現させるためのプログラムである。
【符号の説明】
【００５７】
１  ＥＣＲ本体ユニット部
２  カメラユニット部
４  外部モニタ
１１、２１  ＣＰＵ
１２、２２  記憶部
１４  操作部
１９、２９  ＣＯＭポート
１００  ＥＣＲ
２００  サーバ装置
Ｙ２  操作側動画ファイル
Ｙ３  電子ジャーナルファイル
【図１】
2015144024.tif 000003
【図２】
2015144024.tif 000004
【図３】
2015144024.tif 000005
【図４】
2015144024.tif 000006
【図５】
2015144024.tif 000007
【図６】
2015144024.tif 000008
【図７】
2015144024.tif 000009
【図８】
2015144024.tif 000010
【図９】
2015144024.tif 000011
【図１０】
2015144024.tif 000012
【図１１】
2015144024.tif 000013
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
ユーザによる各種操作を含む一連の動画像を記憶した記憶手段から当該動画像を読み出して再生表示する再生表示手段と、
前記一連の動画像の中で、ユーザによる操作の行われた際における動画像を検出する検出手段と、
前記再生表示手段により前記検出手段で検出された際における動画像を再生表示する際は、その時に再生表示される画像が前記ユーザにより操作が行われた際における画像であることが分かるように識別して再生表示するよう制御する再生制御手段と、
を具備したことを特徴とするデータ処理装置。
【請求項２】
前記再生制御手段は、前記再生表示される画像が前記ユーザによる操作が行われた際における画像である場合には、その画像を基準にして、その動画像再生の一時停止、あるいはスロー再生、あるいは逆送り再生、を制御する、
ことを特徴とする請求項１に記載のデータ処理装置。
【請求項３】
前記再生制御手段は、前記検出手段で検出された際における動画像を再生表示する際は、その時に再生表示される画像がユーザによる操作が行われた際における画像であることを聴覚的に知らせるアラーム音を発生させるよう制御する、
ことを特徴とする請求項１又は２に記載のデータ処理装置。
【請求項４】
前記再生制御手段は、前記動画像を再生表示する際は、前記操作に基づいて生成された生成データと共に再生表示するよう制御する、
ことを特徴とする請求項１〜３の何れかに記載のデータ処理装置。
【請求項５】
前記一連の動画像は、前記ユーザによる各種操作の操作状況を含む画像を撮像手段で動画撮像した動画像であり、当該撮像手段は、当該データ処理装置の近傍に配設され、当該データ処理装置を操作するユーザ及びその操作状況を撮影可能なようにその撮影方向及び画角が設定されている、
ことを特徴とする請求項１〜４の何れかに記載のデータ処理装置。
【請求項６】
前記再生表示手段は、当該データ処理装置を操作するユーザによる前記各種操作を含む動画像を読み出して再生表示する、
ことを特徴とする請求項１〜５の何れかに記載のデータ処理装置。
【請求項７】
前記再生表示手段は、ユーザによる各種操作の行われる複数の処理装置において記憶された動画像を遠隔通信で読み出して再生表示する、
ことを特徴とする請求項１〜５の何れかに記載のデータ処理装置。
【請求項８】
データ処理装置のコンピュータを制御するためのプログラムであって、
前記コンピュータを、
ユーザによる各種操作を含む一連の動画像を記憶した記憶手段から当該動画像を読み出して再生表示する再生表示手段、
前記一連の動画像の中で、ユーザによる操作の行われた際における動画像を検出する検出手段と、
前記再生表示手段により前記検出手段で検出された際における動画像を再生表示する際は、その時に再生表示される画像が前記ユーザにより操作が行われた際における画像であることが分かるように識別して再生表示するよう制御する再生制御手段、
として機能させるようにしたコンピュータ読み取り可能なプログラム。  
【手続補正２】
【補正対象書類名】明細書
【補正対象項目名】０００５
【補正方法】変更
【補正の内容】
【０００５】
本発明の課題は、ユーザによる各種操作を含む動画像を識別表示できるようにすることにある。  
【手続補正３】
【補正対象書類名】明細書
【補正対象項目名】０００６
【補正方法】変更
【補正の内容】
【０００６】
請求項１は、ユーザによる各種操作を含む一連の動画像を記憶した記憶手段から当該動画像を読み出して再生表示する再生表示手段と、前記一連の動画像の中で、ユーザによる操作の行われた際における動画像を検出する検出手段と、前記再生表示手段により前記検出手段で検出された際における動画像を再生表示する際は、その時に再生表示される画像が前記ユーザにより操作が行われた際における画像であることが分かるように識別して再生表示するよう制御する再生制御手段と、を具備したことを特徴とする。  
【手続補正４】
【補正対象書類名】明細書
【補正対象項目名】０００７
【補正方法】変更
【補正の内容】
【０００７】
本発明によれば、ユーザによる各種操作を含む動画像を識別表示することが可能となる。